(57)【要約】【課題】複数のコネクタに接続するための作業工数を削減できるジャンパコネクタを提供する。【解決手段】複数の蓄電装置側コネクタ２２に夫々対応する複数のジャンパ部１１を備え、複数の蓄電装置側コネクタ２２は、一方の極の負荷給電線２３に接続された第１の端子Ｔ１と、一方の極の電池給電線２４に接続された第２の端子Ｔ２と、他方の極の電池給電線２５に接続された第３の端子Ｔ３とを夫々有し、複数のジャンパ部１１の内の少なくとも１つは、第１の端子Ｔ１に接続される第１の接続端子Ｔｃ１と、第２の端子Ｔ２に接続される第２の接続端子Ｔｃ２と、第１の接続端子Ｔｃ１及び第２の接続端子Ｔｃ２を短絡するジャンパ線ＪＬとを有するようにジャンパコネクタ１を構成する。【選択図】図１
2017108554.tif 000002
【特許請求の範囲】
【請求項１】
複数の蓄電装置側コネクタに夫々対応する複数のジャンパ部
を含み、
前記複数の蓄電装置側コネクタは、一方の極の負荷給電線に接続された第１の端子と、一方の極の電池給電線に接続された第２の端子と、他方の極の電池給電線に接続された第３の端子とを夫々有し、
前記複数のジャンパ部の内の少なくとも１つは、前記第１の端子に接続される第１の接続端子と、前記第２の端子に接続される第２の接続端子と、前記第１の接続端子及び前記第２の接続端子を短絡するジャンパ線とを有する
ジャンパコネクタ。
【請求項２】
請求項１に記載のジャンパコネクタであって、
前記複数のジャンパ部は、前記第３の端子に接続される第３の接続端子を夫々有しないジャンパコネクタ。
【請求項３】
請求項１又は２に記載のジャンパコネクタであって、
前記複数のジャンパ部の内の少なくとも１つは、前記第１の接続端子と前記第２の接続端子とを有しない
ジャンパコネクタ。
【請求項４】
請求項１〜３の何れか一項に記載のジャンパコネクタであって、
前記複数のジャンパ部は、前記複数のジャンパ部を連結する連結部と共に一体的に形成される
ジャンパコネクタ。
【請求項５】
請求項１〜３の何れか一項に記載のジャンパコネクタであって、
前記複数のジャンパ部は、夫々単一物であり、前記複数のジャンパ部を連結する連結部を用いて連結される
ジャンパコネクタ。
【発明の詳細な説明】
【技術分野】
【０００１】
本発明は、ジャンパコネクタに関する。
【背景技術】
【０００２】
近年、二次電池の容量増加や急速充電に対する要望に応じて、充電装置から二次電池に供給される充電電流が増加している。充電電流が増加すると、充電電流を供給するための充電装置側の充電ケーブルが太く且つ重くなり、ユーザが充電ケーブルを単一のコネクタを介して二次電池側に接続する充電操作が難くなり得る。
【０００３】
そこで、充電の操作性を向上させるために、ユーザが複数のコネクタを介して複数の充電ケーブルを二次電池側に接続できるようにすることで、充電ケーブル１本あたりの充電電流を減らし、各充電ケーブルの太さや重さを抑える手法がある。
【０００４】
なお、関連する技術として、特許文献１〜５に記載の技術が知られている。
【先行技術文献】
【特許文献】
【０００５】
【特許文献１】特開２０１５−６１４５３号公報
【特許文献２】特開２００４−２８８４４４号公報
【特許文献３】実開平６−６２４９１号公報
【特許文献４】実開昭６２−７６４４７号公報
【特許文献５】特開２００３−６１４３７号公報
【発明の概要】
【発明が解決しようとする課題】
【０００６】
しかしながら、複数の充電ケーブルに対応して複数のコネクタが二次電池側に設けられると、二次電池から負荷への稼動電流の供給時に複数のコネクタに夫々接続されるジャンパコネクタの数が増加する。このため、ユーザが複数のコネクタにジャンパコネクタを夫々接続するための作業工数が増加する。
【０００７】
本発明の一側面に係る目的は、複数のコネクタに接続するための作業工数を削減できるジャンパコネクタを提供することである。
【課題を解決するための手段】
【０００８】
本発明に係る一つの形態であるジャンパコネクタは、複数の蓄電装置側コネクタに夫々対応する複数のジャンパ部を含む。複数の蓄電装置側コネクタは、一方の極の負荷給電線に接続された第１の端子と、一方の極の電池給電線に接続された第２の端子と、他方の極の電池給電線に接続された第３の端子とを夫々有する。複数のジャンパ部の内の少なくとも１つは、第１の端子に接続される第１の接続端子と、第２の端子に接続される第２の接続端子と、第１の接続端子及び第２の接続端子を短絡するジャンパ線とを有する。
【発明の効果】
【０００９】
一実施形態に従ったジャンパコネクタによれば、複数のコネクタに接続するための作業工数を削減できる。
【図面の簡単な説明】
【００１０】
【図１】実施形態に従ったジャンパコネクタの構成例と、関連する蓄電装置、負荷、充電装置、及び既存のジャンパコネクタの構成例とを示す図である。
【図２】実施形態に従ったジャンパコネクタの外観の一例を説明する図である。
【発明を実施するための形態】
【００１１】
以下図面に基づいて実施形態について詳細を説明する。
図１は、実施形態に従ったジャンパコネクタの構成例と、関連する蓄電装置、負荷、充電装置、及び既存のジャンパコネクタの構成例とを示す図である。図１において、ジャンパコネクタ１Ａ及びジャンパコネクタ１Ｂは、実施形態に従ったジャンパコネクタの一例である。以下の説明においてジャンパコネクタ１Ａ及びジャンパコネクタ１Ｂを特に区別しない場合には、ジャンパコネクタ１と記載する。
【００１２】
ジャンパコネクタ１は、蓄電装置２に備わる二次電池２１から負荷３への稼動電流供給時に、蓄電装置２に備わる複数の蓄電装置側コネクタ２２に接続される。一方、充電装置４から二次電池２１への充電電流供給時には、充電装置４に備わる複数の充電装置側コネクタ４１が複数の蓄電装置側コネクタ２２に夫々接続される。蓄電装置２は、例えば、電気自動車、ハイブリッドカー、及び電動フォークリフトといった車両に搭載及び接続されてもよい。また、負荷３は、例えば、電気自動車、ハイブリッドカー、及び電動フォークリフトといった車両の電動モータや補機類であってもよい。
【００１３】
複数の蓄電装置側コネクタ２２は、一方の極の負荷給電線２３に接続された第１の端子Ｔ１と、一方の極の電池給電線２４に接続された第２の端子Ｔ２と、他方の極の電池給電線２５に接続された第３の端子Ｔ３とを夫々有する。なお、一方の極とは正極又は負極を指し、他方の極とは一方の極とは異なる極を指す。図１に示す一例では、一方の極は正極であり、他方の極は負極である。
【００１４】
複数の充電装置側コネクタ４１は、図１に破線で示すように、第１の端子Ｔ１に接続される第４の端子Ｔ４を夫々有しない。なお、実施形態によっては、複数の充電装置側コネクタ４１は、第１の端子Ｔ１を無接続状態のまま遮蔽する第４の端子Ｔ４を夫々有してもよい。また、複数の充電装置側コネクタ４１は、第２の端子Ｔ２に接続される第５の端子Ｔ５と、第３の端子Ｔ３に接続される第６の端子Ｔ６とを夫々有する。第５の端子Ｔ５は、充電ケーブル４２を構成する一方の極の給電線に接続され、第６の端子Ｔ６は、充電ケーブル４２を構成する他方の極の給電線に接続される。
【００１５】
第２の端子Ｔ２と第５の端子Ｔ５とが接続されると、一方の極の電池給電線２４は、充電ケーブル４２を構成する一方の極の給電線に接続される。また、第３の端子Ｔ３と第６の端子Ｔ６とが接続されると、他方の極の電池給電線２５は、充電ケーブル４２を構成する一方の極の給電線に接続される。
【００１６】
このように、複数の充電装置側コネクタ４１及び複数の蓄電装置側コネクタ２２を介して、複数の充電ケーブル４２が蓄電装置２に接続されるように構成することで、充電ケーブル４２の１本あたりの充電電流を減らすことができる。このため、二次電池２１の容量増加や急速充電に対する要望に応じて充電装置４から二次電池２１への充電電流を増加させても、各充電ケーブル４２の太さや重さを抑えることができ、充電の操作性を向上できる。
【００１７】
ジャンパコネクタ１は、複数の蓄電装置側コネクタ２２に夫々対応する複数のジャンパ部１１を含む。なお、図１には、２つの蓄電装置側コネクタ２２に夫々対応する２つのジャンパ部１１が示されているが、蓄電装置側コネクタ２２及び対応するジャンパ部１１の数は、２以上の任意の数であってもよい。
【００１８】
複数のジャンパ部１１の内の少なくとも１つは、第１の端子Ｔ１に接続される第１の接続端子Ｔｃ１と、第２の端子Ｔ２に接続される第２の接続端子Ｔｃ２と、第１の接続端子Ｔｃ１及び第２の接続端子Ｔｃ２を短絡するジャンパ線ＪＬとを有する。例えば、ジャンパコネクタ１Ａでは、全てのジャンパ部１１は、第１の接続端子Ｔｃ１、第２の接続端子Ｔｃ２、及びジャンパ線ＪＬを有する。また、ジャンパコネクタ１Ｂでは、１つのジャンパ部１１は、第１の接続端子Ｔｃ１、第２の接続端子Ｔｃ２、及びジャンパ線ＪＬを有する。
【００１９】
また、複数のジャンパ部１１は、図１に破線で示すように、第３の端子Ｔ３に接続される第３の接続端子Ｔｃ３を夫々有しない。なお、実施形態によっては、複数のジャンパ部１１は、第３の端子Ｔ３を無接続状態のまま遮蔽する第３の接続端子Ｔｃ３を夫々有してもよい。第３の接続端子Ｔｃ３が複数のジャンパ部１１に備えられないように構成した場合には、ジャンパコネクタ１の構成部品を少なくでき、ジャンパコネクタ１の製造コストを削減できる。また、ユーザがジャンパコネクタ１を複数の蓄電装置側コネクタ２２に接続する際の挿入力を抑えることができ、操作性を向上できる。
【００２０】
第１の端子Ｔ１と第１の接続端子Ｔｃ１とが接続され、第２の端子Ｔ２と第２の接続端子Ｔｃ２とが接続されると、負荷３に接続する一方の極の負荷給電線２３と、二次電池２１に接続する一方の極の電池給電線２４とは、ジャンパ線ＪＬを介して接続される。また、負荷３に接続する他方の極の負荷給電線２６は、二次電池２１に接続する他方の極の電池給電線２５に常時接続する。
【００２１】
このように、ジャンパコネクタ１は、複数の蓄電装置側コネクタ２２に対応する夫々対応する複数のジャンパ部１１を含む。したがって、複数の蓄電装置側コネクタ２２に夫々対応する複数の既存のジャンパコネクタ５が用いられる場合と比較して、実施形態に従ったジャンパコネクタを用いれば、複数の蓄電装置側コネクタにジャンパコネクタを接続するための作業工数を削減できる。
【００２２】
また、ジャンパコネクタ１Ｂのように、複数のジャンパ部１１の内の少なくとも１つは、第３の接続端子Ｔｃ３のみならず、第１の接続端子Ｔｃ１及び第２の接続端子Ｔｃ２を有しなくてもよい。前述したように、充電時には、二次電池２１の容量増加や急速充電に対する要望に応じて充電装置４から二次電池２１への充電電流を増加させることが要望される。しかしながら、放電時には、二次電池２１から負荷３への稼動電流を増加させることは必ずしも要望されない。そこで、第１の接続端子Ｔｃ１及び第２の接続端子Ｔｃ２を少なくとも１つのジャンパ部１１が有さず、二次電池２１から負荷３に大電流が供給されないように構成しても不都合は生じない。
【００２３】
第１〜第３の接続端子Ｔｃ１〜Ｔｃ３を有しない少なくとも１つのジャンパ部１１がジャンパコネクタ１に備えられれば、ジャンパコネクタ１の構成部品を少なくでき、ジャンパコネクタ１の製造コストを削減できる。また、ユーザがジャンパコネクタ１を複数の蓄電装置側コネクタ２２に接続する際の挿入力を抑えることができ、操作性を向上できる。
【００２４】
また、第１〜第３の接続端子Ｔｃ１〜Ｔｃ３を有しない少なくとも１つのジャンパ部１１は、対応する蓄電装置側コネクタ２２が備える各端子を覆う。このため、こうしたジャンパ部１１がジャンパコネクタ１に備えられれば、例えば、蓄電装置側コネクタ２２の未接続の各端子が異物との接触により短絡する等の障害を防止できる。
【００２５】
図２は、実施形態に従ったジャンパコネクタの外観の一例を説明する図である。図２（Ａ）は、第１〜第３の端子Ｔ１〜Ｔ３が図面の右から順に夫々設けられた２つの蓄電装置側コネクタ２２を備える蓄電装置２の一部を示す。図２（Ｂ）は、図２（Ａ）に示す２つの蓄電装置側コネクタ２２に対応するジャンパコネクタ１の一例を示す。図２（Ｃ）及び（Ｄ）は、図２（Ａ）に示す各蓄電装置側コネクタ２２に対応する既存のジャンパコネクタ５の一例を示す。図２（Ｅ）及び（Ｆ）は、図２（Ａ）に示す２つの蓄電装置側コネクタ２２に対応するジャンパコネクタ１の別例を示す。
【００２６】
図２（Ｂ）に示すように、複数のジャンパ部１１は、複数のジャンパ部１１を連結する連結部１２と共に一体的に形成されてもよい。連結部１２は、ユーザがジャンパコネクタ１を複数の蓄電装置側コネクタ２２に接続する際の持ち手としての機能をも有してもよい。なお、図２（Ｂ）には、半円状の連結部１２が示されているが、連結部１２は、コの字状等任意の形状を有してもよい。
【００２７】
また、図２（Ｃ）〜（Ｆ）に示すように、複数のジャンパ部１１は、夫々単一物であってもよく、連結部１２を用いて連結されてもよい。すなわち、１つの蓄電装置側コネクタ２２に夫々接続可能な複数の既存のジャンパコネクタ５（例えば、図２（Ｃ）及び（Ｄ））から、ねじＳ等を用いて付着された持ち手Ｈを夫々取り外し、持ち手Ｈが外された複数のジャンパ部１１に連結部１２をねじＳ等を用いて付着させることで、ジャンパコネクタ１（図２（Ｅ）及び（Ｆ））が製造されてもよい。なお、図２（Ｅ）及び（Ｆ）には、コの字状の連結部１２が示されているが、連結部１２は、半円状等任意の形状を有してもよい。こうした製造方法によれば、ジャンパコネクタ１の部品と既存のジャンパコネクタ５の部品との共通化によって、ジャンパコネクタ１を新たに製造する場合（図２（Ｂ））と比較してジャンパコネクタ１の製造コストを削減できる。
【００２８】
本発明は、以上の実施の形態に限定されるものでなく、本発明の要旨を逸脱しない範囲内で種々の改良、変更が可能である。
【符号の説明】
【００２９】
１、１Ａ、１Ｂ    ジャンパコネクタ
１１    ジャンパ部
Ｔｃ１    第１の接続端子
Ｔｃ２    第２の接続端子
Ｔｃ３    第３の接続端子
ＪＬ    ジャンパ線
１２    連結部
２    蓄電装置
２１    二次電池
２２    蓄電装置側コネクタ
Ｔ１    第１の端子
Ｔ２    第２の端子
Ｔ３    第３の端子
２３    一方の極の負荷給電線
２４    一方の極の電池給電線
２５    他方の極の電池給電線
２６    他方の極の負荷給電線
３    負荷
４    充電装置
４１    充電装置側コネクタ
Ｔ４    第４の端子
Ｔ５    第５の端子
Ｔ６    第６の端子
４２    充電ケーブル
５    既存のジャンパコネクタ
Ｈ    持ち手
Ｓ    ねじ
【図１】
2017108554.tif 000003
【図２】
2017108554.tif 000004